(57)【特許請求の範囲】
【請求項１】
複数の気筒列毎にそれぞれ設けられて各気筒列の機関バルブの開閉特性を可変とすべく動作する可変動弁機構と、各気筒列における前記機関バルブの開閉特性の可変が同調して行われるよう気筒列毎に設けられた各々の前記可変動弁機構の動作を制御する制御手段とを備える内燃機関の可変動弁装置において、
前記内燃機関は、全ての気筒列における気筒を稼働させる全気筒運転と、一部の気筒列における気筒の稼働を休止させて残りの気筒列における気筒のみを稼働させる気筒休止運転との間で、運転の切り換えが行われるものであり、
前記気筒休止運転では、稼働の休止される気筒における前記機関バルブの開閉が、リフト停止機構によってカムから前記機関バルブへの動力伝達を遮断することで停止されるものであり、
前記可変動弁機構は、クランクシャフトに対するカムシャフトの相対回転位相を変更することで前記機関バルブの開閉特性を変更するものであり、
前記制御手段は、気筒休止運転の実行中、気筒の稼働を休止する気筒列に設けられた前記可変動弁機構を動作禁止状態として前記カムシャフトの相対回転位相を固定するものである
ことを特徴とする内燃機関の可変動弁装置。
【請求項２】
複数の気筒列毎にそれぞれ設けられて各気筒列の機関バルブの開閉特性を可変とすべく動作する可変動弁機構と、各気筒列における前記機関バルブの開閉特性の可変が同調して行われるよう気筒列毎に設けられた各々の前記可変動弁機構の動作を制御する制御手段とを備える内燃機関の可変動弁装置において、
前記内燃機関は、全ての気筒列における気筒を稼働させる全気筒運転と、一部の気筒列における気筒の稼働を休止させて残りの気筒列における気筒のみを稼働させる気筒休止運転との間で、運転の切り換えが行われるものであり、
前記気筒休止運転では、稼働の休止される気筒における前記機関バルブの開閉がリフト停止機構によって停止されるものであり、
前記制御手段は、気筒休止運転の実行中、気筒の稼働を休止する気筒列に設けられた前記可変動弁機構を動作禁止状態とするものであり、 
前記気筒休止運転の実行中に気筒の稼働が休止される気筒列に設けられた前記可変動弁機構は、前記全気筒運転の実行中、動作許可状態とされることにより、機関運転状態に応じて算出される動作指令値に基づき動作され、前記気筒列における前記機関バルブの開閉特性をそのときの機関運転での燃料の燃焼に適した特性とするものであり、
前記制御手段は、前記気筒休止運転の実行中、その気筒休止運転から前記全気筒運転への切り換えが予測されるとき、気筒の稼働を休止している気筒列に設けられた前記可変動弁機構を前記動作許可状態とする
ことを特徴とする内燃機関の可変動弁装置。
【請求項３】
前記内燃機関は、予め定められた機関運転領域である気筒休止領域では前記気筒休止運転を行い、その気筒休止領域以外の機関運転領域である全気筒領域では前記全気筒運転を行うものであり、
前記制御手段は、前記気筒休止運転の実行中、機関運転状態が前記気筒休止領域における前記全気筒領域に近い領域にあり、且つ前記機関運転状態が前記全気筒領域に向けて変化中であるとき、前記気筒休止運転から前記全気筒運転への切り換えがあるとの予測を行う
請求項２記載の内燃機関の可変動弁装置。
【発明の詳細な説明】
【技術分野】
【０００１】
本発明は、内燃機関の可変動弁装置に関する。
【背景技術】
【０００２】
自動車等の車両に搭載される内燃機関においては、排気エミッション改善や出力向上を目的として、吸気バルブや排気バルブといった機関バルブの開閉特性を連続的に可変とする可変動弁機構が設けられたものが実用化されている。そして、上記可変動弁機構の設けられる内燃機関では、機関運転状態に基づき可変動弁機構の動作指令値が算出され、その動作指令値に基づき可変動弁機構を動作させることにより、機関バルブの開閉特性がそのときの機関運転での燃料の燃焼に適した特性とされる。
【０００３】
ところで、Ｖ型内燃機関など複数の気筒列を有する内燃機関においては、各気筒列毎に可変動弁機構が設けられるとともに、各気筒列における前記機関バルブの開閉特性の可変が同調して行われるよう気筒列毎に設けられた各々の可変動弁機構の動作が制御されることとなる。また、複数の気筒列を有する内燃機関では、例えば特許文献１に示されるように、気筒休止制御として、通常は全ての気筒列における気筒を稼働させる全気筒運転を行い、予め定められた機関運転領域では一部の気筒列における気筒の稼働を休止させて残りの気筒列における気筒のみを稼働させる気筒休止運転を行うようにしたものも知られている。なお、上記文献における気筒の稼働の休止は、その気筒に対する燃料噴射の停止を通じて実現される。
【０００４】
上記気筒休止制御としては、内燃機関の燃費改善を意図して、機関高負荷運転時に全気筒運転を行い、機関低負荷運転時には気筒休止運転を行うことが考えられる。内燃機関においては、機関高負荷運転が行われているとき、すなわち稼働気筒に対し１サイクル当たりに吸入される空気（混合気）の量が多くなる運転が行われているとき、燃費が良好になる傾向があり、こうした内燃機関の燃費特性を考慮して上記のように気筒休止制御が行われる。
【０００５】
すなわち、内燃機関の燃費が良好でない機関低負荷運転時、言い換えれば稼働気筒に対し１サイクル当たりに吸入される空気（混合気）の量が少なくなるおそれのある状況のときには、気筒休止運転により一部の気筒列における気筒の稼働が停止され、残りの気筒列の稼働気筒に対し１サイクル当たりに吸入される空気（混合気）の量が多くされる。その結果、気筒休止運転中の稼働気筒において、１サイクル当たりの吸入空気量（混合気の量）が、全気筒運転で機関高負荷運転となったときの稼働気筒における１サイクル当たりの吸入空気量（混合気の量）に近い値となり、機関低負荷運転時における内燃機関の燃費改善が図られるようになる。
【０００６】
また、稼働の休止される気筒においては、例えば特許文献２に示されるように、機関バルブのリフト（開閉）をリフト停止機構によって停止させることも提案されている。このリフト停止機構を特許文献１における気筒の稼働が停止される気筒列に設ければ、気筒休止運転中に上記気筒列における稼働の休止される気筒に空気が吸入されることがなくなる。このため、内燃機関の吸気通路を通過する空気のほとんどが上記気筒列の気筒以外の気筒、すなわち気筒休止運転中に稼働している気筒に吸入され、その稼働気筒での１サイクル当たりの吸入空気量を、全気筒運転で機関高負荷運転となったときの稼働気筒での１サイクル当たりの吸入空気量に近い値まで、的確に多くすることができるようになる。
【特許文献１】特開平８−２８４７００公報（段落［０００２］、［０００３］、［００１７］、［００１８］）
【特許文献２】特開２００３−３２２００７公報（段落［００１４］）
【発明の開示】
【発明が解決しようとする課題】
【０００７】
ところで、気筒休止運転時に気筒の稼働が休止される気筒列において、機関バルブの開閉をリフト停止機構により停止させた場合、その機関バルブの開閉特性を可変動弁機構の動作を通じて変化させようとすることに意味はないにもかかわらず、同気筒列に設けられた可変動弁機構が動作されることになる。例えば、特許文献１に示されるように、上記気筒列に設けられた可変動弁機構の動作指令値が最大値または最小値に設定され、機関バルブの開閉特性を上記動作指令値に対応した特性とするための上記可変動弁機構の上記動作指令値に基づく動作が行われる。しかし、気筒の稼働が休止される気筒列では機関バルブの開閉がリフト停止機構により停止されていることから、その機関バルブの開閉特性を変化させようとして可変動弁機構を動作指令値に基づき動作させることに意味はなく、その可変動弁機構を動作するために無駄な油圧供給が生じたり無駄な電力消費が生じたりすることになる。
【０００８】
本発明はこのような実情に鑑みてなされたものであって、その目的は、気筒休止運転の実行により気筒の稼働が休止されている気筒列にて、可変動弁機構を動作させるための無駄なエネルギ消費が生じることを抑制できる内燃機関の可変動弁装置を提供することにある。
【課題を解決するための手段】
【０００９】
以下、上記目的を達成するための手段及びその作用効果について記載する。
上記目的を達成するため、請求項１記載の発明では、複数の気筒列毎にそれぞれ設けられて各気筒列の機関バルブの開閉特性を可変とすべく動作する可変動弁機構と、各気筒列における前記機関バルブの開閉特性の可変が同調して行われるよう気筒列毎に設けられた各々の前記可変動弁機構の動作を制御する制御手段とを備える内燃機関の可変動弁装置において、前記内燃機関は、全ての気筒列における気筒を稼働させる全気筒運転と、一部の気筒列における気筒の稼働を休止させて残りの気筒列における気筒のみを稼働させる気筒休止運転との間で、運転の切り換えが行われるものであり、前記気筒休止運転では、稼働の休止される気筒における前記機関バルブの開閉がリフト停止機構によって、カムから前記機関バルブへの動力伝達を遮断することで停止されるものであり、前記可変動弁機構は、クランクシャフトに対するカムシャフトの相対回転位相を変更することで前記機関バルブの開閉特性を変更するものであり、前記制御手段は、気筒休止運転の実行中、気筒の稼働を休止する気筒列に設けられた前記可変動弁機構を動作禁止状態動作禁止状態として前記カムシャフトの相対回転位相を固定するものとした。
【００１０】
上記構成によれば、気筒休止運転時に気筒の稼働が休止される気筒列で機関バルブの開閉がリフト停止機構により停止される状況下では、その機関バルブの開閉特性を可変とする可変動弁機構が動作禁止状態とされるため、そのときに同機構を動作指令値に基づき無駄に動作させることはない。従って、その可変動弁機構の動作のために無駄な油圧供給が生じたり無駄な電力消費が生じたりすることを抑制できるようになる。
【００１１】
請求項２記載の発明では、複数の気筒列毎にそれぞれ設けられて各気筒列の機関バルブの開閉特性を可変とすべく動作する可変動弁機構と、各気筒列における前記機関バルブの開閉特性の可変が同調して行われるよう気筒列毎に設けられた各々の前記可変動弁機構の動作を制御する制御手段とを備える内燃機関の可変動弁装置において、前記内燃機関は、全ての気筒列における気筒を稼働させる全気筒運転と、一部の気筒列における気筒の稼働を休止させて残りの気筒列における気筒のみを稼働させる気筒休止運転との間で、運転の切り換えが行われるものであり、前記気筒休止運転では、稼働の休止される気筒における前記機関バルブの開閉がリフト停止機構によって停止されるものであり、前記制御手段は、気筒休止運転の実行中、気筒の稼働を休止する気筒列に設けられた前記可変動弁機構を動作禁止状態とするものであり、前記気筒休止運転の実行中に気筒の稼働が休止される気筒列に設けられた前記可変動弁機構は、前記全気筒運転の実行中、動作許可状態とされることにより、機関運転状態に応じて算出される動作指令値に基づき動作され、前記気筒列における前記機関バルブの開閉特性をそのときの機関運転での燃料の燃焼に適した特性とするものであり、前記制御手段は、前記気筒休止運転の実行中、その気筒休止運転から前記全気筒運転への切り換えが予測されるとき、気筒の稼働を休止している気筒列に設けられた前記可変動弁機構を前記動作許可状態とすることを要旨とした。
【００１２】
上記構成によれば、気筒休止運転中に全気筒運転への切り換えが予測されると、気筒の稼働が休止されている気筒列に設けられた可変動弁機構が動作禁止状態から動作許可状態へと切り換えられ、同機構が動作指令値に基づき動作された状態になる。このとき、気筒の稼働が休止されている気筒列では、可変動弁機構の動作指令値に基づく動作を通じて機関バルブがそのときの機関運転での燃料の燃焼に適した特性に制御されることになる。従って、その後に気筒休止運転から全気筒運転への切り換えが行われたとき、気筒の稼働が休止されていた気筒列において、機関バルブの開閉特性を直ちにそのときの機関運転での燃料の燃焼に適した特性とすることができる。その結果、気筒休止運転から全気筒運転への切り換え直後において、上記気筒列での燃料の燃焼を良好なものとし、内燃機関の運転状態を安定させることができる。
【００１３】
請求項３記載の発明では、請求項２記載の発明において、前記内燃機関は、予め定められた機関運転領域である気筒休止領域では前記気筒休止運転を行い、その気筒休止領域以外の機関運転領域である全気筒領域では前記全気筒運転を行うものであり、前記制御手段は、前記気筒休止運転の実行中、機関運転状態が前記気筒休止領域における前記全気筒領域に近い領域にあり、且つ前記機関運転状態が前記全気筒領域に向けて変化中であるとき、前記気筒休止運転から前記全気筒運転への切り換えがあるとの予測を行うことを要旨とした。
【００１４】
上記構成によれば、気筒休止運転から全気筒運転への切り換えがあるとの予測に関しては、機関運転状態が気筒休止領域にあって気筒休止運転が実行されている状況のもと、機関運転状態が前記気筒休止領域における全気筒領域に近い領域にあり、且つ機関運転状態が全気筒領域に向けて変化中であることに基づいて行われる。これにより、気筒休止運転から全気筒運転への切り換えがあるとの予測を的確なものとすることができる。
【発明を実施するための最良の形態】
【００１５】
以下、本発明を、自動車用のＶ型エンジンに適用した一実施形態について、図１〜図７を参照して説明する。
図１に示されるエンジン１では、二つのバンク（気筒列）１４，１５に対し、それぞれのバンク１４，１５の気筒に空気を供給するための吸気通路３が接続されている。この吸気通路３においては、同通路３を通過する空気の量を調整すべく開閉動作するスロットルバルブ２９が設けられており、そのスロットルバルブ２９より下流側で一方のバンク１４側と他方のバンク１５側とに分岐して各々のバンク１４，１５に接続されている。また、吸気通路３における上記分岐後の部分には、吸気通路３内に燃料を噴射供給する燃料噴射弁４がそれぞれ設けられている。そして、吸気通路３を通過する空気及び燃料噴射弁４から噴射される燃料がエンジン１の各バンク１４，１５に供給され、それら各バンク１４，１５にて空気と燃料とからなる混合気が燃焼されることでエンジン１が運転されるようになる。
【００１６】
上記エンジン１においては、気筒休止制御として、通常は各バンク１４，１５における全ての気筒を稼働させる全気筒運転を行い、予め定められたエンジン運転領域では一方のバンク１５における気筒の稼働を休止させて他方のバンク１４における気筒のみを稼働させる気筒休止運転を行うようにしている。ここで、気筒休止運転の実行の有無に関係なく気筒を稼働させるバンク１４の構造と、気筒休止運転の実行時に気筒の稼働が休止されるバンク１５の構造とについて、それぞれ個別に図２及び図３を参照しつつ詳しく説明する。
【００１７】
［バンク１４の構造］
図２に示されるように、バンク１４においては、各気筒の燃焼室２に上記吸気通路３及び排気通路８が接続されるとともに、上記吸気通路３から吸入される空気と同通路３に設けられた上記燃料噴射弁４から噴射される燃料とからなる混合気に対し燃焼室２内にて点火を行う点火プラグ５が設けられている。このように燃焼室２内で混合気に対する点火が行われると、同混合気が燃焼してピストン６が往復移動し、エンジン１の出力軸であるクランクシャフト７が回転する。そして、燃焼後の混合気は、排気として各燃焼室２から排気通路８に送り出される。
【００１８】
バンク１４において、燃焼室２と吸気通路３との間は吸気バルブ９の開閉動作によって連通・遮断され、燃焼室２と排気通路８との間は排気バルブ１０の開閉動作によって連通・遮断される。これら吸気バルブ９及び排気バルブ１０に関しては、クランクシャフト７の回転が伝達される吸気カムシャフト１１及び排気カムシャフト１２の回転に伴い開閉動作する。
【００１９】
より詳しくは、吸気カムシャフト１１に固定された吸気カム１１ａと上記吸気バルブ９との間にローラ１８を備えたロッカアーム１９が設けられ、回転する吸気カム１１ａのローラ１８への押圧に基づき、ロッカアーム１９がその一端を支持するラッシュアジャスタ２０との接点を中心に回動して吸気バルブ９を押圧する。そして、このロッカアーム１９による吸気バルブ９の押圧に基づき同吸気バルブ９が開閉動作する。
【００２０】
また、排気カムシャフト１２に固定された排気カム１２ａと上記排気バルブ１０との間にローラ２１を備えたロッカアーム２２が設けられ、回転する排気カム１２ａのロッカアーム２２への押圧に基づき、同ロッカアーム２２がその一端を支持するラッシュアジャスタ２３との接点を中心に回動して排気バルブ１０を押圧する。そして、このロッカアーム２２による排気バルブ１０の押圧に基づき同排気バルブ１０が開閉動作する。
【００２１】
バンク１４には、吸気バルブ９及び排気バルブ１０といた機関バルブのうち、吸気バルブ９の開閉特性を連続的に可変とする可変動弁機構１３が設けられている。この可変動弁機構１３は、クランクシャフト７に対する吸気カムシャフト１１の相対回転位相を変更することにより、吸気バルブ９のバルブタイミングを可変とするものである。こうした可変動弁機構１３の駆動を通じて、吸気バルブ９の開弁期間（作動角）を一定に保持した状態で同バルブ９の開弁時期及び閉弁時期が共に進角又は遅角され、そのときのエンジン運転（混合気の燃焼）にとって最適な状態とされる。
【００２２】
［バンク１５の構造］
図３に示されるように、バンク１５は、上記バンク１４とほぼ同じ構造を有しているため、以下ではバンク１５におけるバンク１４と異なる部分についてのみ詳しく説明し、バンク１５におけるバンク１４と同じ部分については同バンク１４と同じ符号を付して説明を省略する。
【００２３】
バンク１５においては、気筒休止制御における気筒休止運転時、燃料噴射弁４からの燃料噴射の停止及び混合気への点火のための点火プラグ５への通電の停止が行われるとともに、吸気バルブ９及び排気バルブ１０のリフト（開閉）が停止させられることにより、気筒の稼働が停止される。なお、吸気バルブ９及び排気バルブ１０のリフトの停止は、ロッカアーム１９，２２に設けられたリフト停止機構２４，２５によって行われる。
【００２４】
リフト停止機構２４は、吸気カム１１ａの同ロッカアーム１９（ローラ１８）への押圧に基づく吸気バルブ９のリフト（開閉）を停止させるべく、吸気カム１１ａと吸気バルブ９との間のロッカアーム１９に設けられている。このリフト停止機構２４は、ローラ１８をロッカアーム１９に対し上記押圧の方向について相対移動可能とした状態と、その相対移動を禁止した状態との間で切り換えられるものであり、通常は上記相対移動を禁止した状態とされている。この状態にあっては、吸気カム１１ａによりローラ１８が押圧されると、それに基づきロッカアーム１９が上記のように回動して吸気バルブ９が開閉するようになる。一方、吸気バルブ９のリフトを停止させる際には、上記リフト停止機構２４がローラ１８のロッカアーム１９に対する相対移動を可能とした状態に切り換えられる。この場合、吸気カム１１ａによりローラ１８が押圧されると、同ローラ１８がロッカアーム１９に対し相対移動するため、そのロッカアーム１９が吸気バルブ９を開閉させるように回動することはなく、吸気カム１１ａの回転に伴う同吸気バルブ９のリフトは停止されるようになる。
【００２５】
リフト停止機構２５は、排気カム１２ａの同ロッカアーム２２（ローラ２１）への押圧に基づく排気バルブ１０のリフト（開閉）を停止させるべく、排気カム１２ａと排気バルブ１０との間のロッカアーム１９に設けられている。このリフト停止機構２５は、上述したリフト停止機構２４と同様の構造を有しており、ローラ２１をロッカアーム２２に対し上記押圧の方向について相対移動可能とした状態と、その相対移動を禁止した状態との間で切り換えられるものであって、通常時にはローラ２１のロッカアーム２２に対する相対移動を禁止した状態とされている。この状態にあっては、排気カム１２ａによりローラ２１が押圧されると、それに基づきロッカアーム２２が上記のように回動して吸気バルブ９が開閉するようになる。一方、吸気バルブ９のリフトを停止させる際には、上記リフト停止機構２５がローラ２１のロッカアーム２２に対する相対移動を可能とした状態に切り換えられる。この場合、排気カム１２ａによりローラ２１が押圧されると、同ローラ２１がロッカアーム２２に対し相対移動するため、そのロッカアーム２２が排気バルブ１０を開閉させるように回動することはなく、排気カム１２ａの回転に伴う同排気バルブ１０のリフトは停止されるようになる。
【００２６】
次に、本実施形態におけるエンジン１の可変動弁装置の電気的構成について、図４を参照して説明する。
この可変動弁装置には、エンジン１の運転制御など各種制御を行う電子制御装置２６が設けられている。電子制御装置２６は、上記各種制御にかかる演算処理を実行するＣＰＵ、その制御に必要なプログラムやデータの記憶されたＲＯＭ、ＣＰＵの演算結果が一時的に記憶されるＲＡＭ、外部との間で信号を入・出力するための入・出力ポート等を備えて構成されている。
【００２７】
電子制御装置２６の入力ポートには、以下に示す各種センサ等が接続されている。
・自動車の運転者によって踏み込み操作されるアクセルペダルの踏み込み量（アクセル踏込量）を検出するアクセルポジションセンサ２８。
【００２８】
・スロットルバルブ２９の開度（スロットル開度）を検出するスロットルポジションセンサ３０。
・吸気通路３を流れる空気の量を検出するエアフローメータ３２。
【００２９】
・クランクシャフト７の回転に対応する信号を出力し、エンジン回転速度の算出等に用いられるクランクポジションセンサ３４。
・エンジン１の冷却水温を検出する水温センサ３５。
【００３０】
電子制御装置２６の出力ポートには、各バンク１４，１５の燃料噴射弁４、点火プラグ５、及び可変動弁機構１３の駆動回路等が接続されるとともに、リフト停止機構２４，２５、及びスロットルバルブ２９の駆動回路等も接続されている。
【００３１】
そして、電子制御装置２６は、上記各種センサから入力した検出信号に基づき、アクセル踏込量、スロットル開度、吸入空気量、エンジン回転速度、及びエンジン負荷といったエンジン運転状態を把握する。なお、エンジン回転速度はクランクポジションセンサ３４からの検出信号に基づき求められる。また、エンジン負荷は、アクセルポジションセンサ２８、スロットルポジションセンサ３０、及び、エアフローメータ３２等の検出信号に基づき求められるエンジン１の吸入空気量とエンジン回転速度とから算出される。電子制御装置２６は、上述したエンジン運転状態に応じて、上記出力ポートに接続された各種駆動回路に指令信号を出力する。こうして燃料噴射弁４の燃料噴射制御、点火プラグ５の点火時期制御、吸気バルブ９のバルブタイミングの制御、リフト停止機構２４，２５の駆動制御、及びスロットルバルブ２９の開度制御等の各種制御が電子制御装置２６を通じて実施される。
【００３２】
エンジン１においては、自動車の運転者によるアクセル踏込量の調整を通じてエンジン出力の調整が行われる。すなわち、アクセル踏込量が調整されると、それに基づきスロットル開度制御を通じてスロットルバルブ２９が上記アクセル踏込量に対応した開度に調整される。更に、そのスロットルバルブ２９の開度に応じてエンジン１の吸気通路を流れる空気の量（吸入空気量）が調整され、同吸入空気量に対応した量の燃料が燃料噴射量制御を通じて燃料噴射弁４から噴射される。その結果、エンジン１の燃焼室２内にアクセル踏込量に対応した量の混合気が供給され、その混合気に対し点火プラグ点火を行って同混合気を燃焼させることにより、アクセル踏込量に対応したエンジン出力が得られるようになる。
【００３３】
また、エンジン１で行われる吸気バルブ９のバルブタイミング制御に関しては、可変動弁機構１３の動作を通じて、同吸気バルブ９のバルブタイミングがそのときのエンジン運転（燃焼状態）にとって適切な状態となるように行われる。具体的には、エンジン負荷及びエンジン回転速度に基づきマップを参照して可変動弁機構１３の動作指令値である進角量が算出され、その算出された進角量に基づき可変動弁機構１３を動作させることにより、吸気バルブ９のバルブタイミングがそのときのエンジン運転に適した状態となるよう制御される。なお、このように制御される吸気バルブ９のバルブタイミングに関しては、上記進角量が「０」のときに最遅角状態となり、その進角量が大きくなるほど進角した状態となる。
【００３４】
次に、エンジン運転状態に応じてエンジン１の全気筒運転と気筒休止運転とを切り換える気筒休止制御について詳しく説明する。
気筒休止制御では、図５に示されるマップを参照して、全気筒運転と気筒休止運転との切り換えが行われる。このマップは、エンジン回転速度及びエンジン負荷に基づき、気筒休止制御における気筒休止運転の実行されるエンジン運転領域である気筒休止領域ＡＰを規定するとともに、その気筒休止領域ＡＰ以外の領域であって全気筒運転の実行されるエンジン運転領域である全気筒領域ＡＡを規定するものである。なお、上記気筒休止領域ＡＰは低回転低負荷領域に設定されており、上記全気筒領域ＡＡは気筒休止領域ＡＰよりも高回転高負荷領域に設定されている。そして、エンジン回転速度及びエンジン負荷が上記気筒休止領域ＡＰ内にあるときには気筒休止運転が実行され、エンジン回転速度及びエンジン負荷が上記全気筒領域ＡＡ内にあるときには全気筒運転が実行される。
【００３５】
以上のように、気筒休止制御では、エンジン１の低回転低負荷運転時に気筒休止運転を行い、それ以外のときには全気筒運転を行うようにしている。これは、エンジン１においては、エンジン負荷の高い状態で運転されているとき、すなわち稼働気筒に対し１サイクル当たりに吸入される空気（混合気）の量が多くなる状態で運転されているとき、燃費が良好になる傾向があり、こうしたエンジン１の燃費特性を考慮して同エンジン１の燃費改善を図るためである。
【００３６】
上記気筒休止制御では、エンジン１の燃費が良好でないエンジン低負荷運転時、すなわち稼働気筒に対し１サイクル当たりに吸入される空気（混合気）の量が少なくなるおそれのある状況のときには、気筒休止運転により一部の気筒の稼働が停止されることにより、残りの稼働気筒に対し１サイクル当たりに吸入される空気（混合気）の量が多くされる。その結果、気筒休止運転中の稼働気筒において、１サイクル当たりの吸入空気量（混合気の量）が、全気筒運転でエンジン高負荷運転となったときの稼働気筒における１サイクル当たりの吸入空気量（混合気の量）に近い値となり、低負荷運転時におけるエンジン１の燃費改善が図られるようになる。
【００３７】
図６は、上述した気筒休止制御を実行するための気筒休止制御ルーチンを示すフローチャートである。この気筒休止制御ルーチンは、電子制御装置２６を通じて、例えば所定時間毎の時間割り込みにて周期的に実行される。
【００３８】
同ルーチンにおいては、まず、エンジン１の温度が気筒休止制御を実行可能な値であるか否かを判断するための処理として、エンジン１の冷却水温が気筒休止制御の実行水温である所定値Ａよりも高いか否かが判断される（Ｓ１０１）。なお、燃料の揮発性の低下等に関連して燃焼状態を良好に維持しにくくなるエンジン１の低温時には、気筒休止制御での気筒休止運転の実行が稼働気筒での燃焼状態の悪化といった不具合の発生を招くおそれがある。上記所定値Ａに関しては、気筒休止運転を実行したときに上記不具合の生じるおそれがない値として予め実験等により定められた値が用いられる。
【００３９】
そして、上記ステップＳ１０１で否定判定であれば、気筒休止制御が停止され（Ｓ１０５）、全気筒運転が実行される。また、ステップＳ１０１で肯定判定であれば、図５に示されるマップを用いて気筒休止制御が実行される（図６のＳ１０２〜Ｓ１０４）。より詳しくは、上記マップを参照して、エンジン回転速度及びエンジン負荷といったエンジン運転状態が、気筒休止制御での気筒休止運転の行われる運転領域（気筒休止領域ＡＰ）にあるか否かが判断される（Ｓ１０２）。そして、エンジン運転状態が気筒休止領域ＡＰにあれば気筒休止運転が実行され（Ｓ１０３）、エンジン運転状態が気筒休止領域ＡＰになく全気筒領域ＡＡにあれば全気筒運転が実行される（Ｓ１０４）。
【００４０】
次に、吸気バルブ９のバルブタイミング制御に関係する可変動弁機構１３の動作手順について、可変動弁機構動作制御ルーチンを示す図７のフローチャートを参照して説明する。この可変動弁機構動作制御ルーチンは、電子制御装置２６を通じて、例えば所定時間毎の時間割り込みにて周期的に実行される。
【００４１】
同ルーチンにおいては、エンジン１の冷却水温が上述した所定値Ａよりも高い値であるか否か（Ｓ２０１）、言い換えれば冷却水温が気筒休止制御の実行水温よりも高い値であるか否かが判断される。ここで否定判定であれば、気筒休止制御が停止されて全気筒運転が実行されていることから、各バンク１４，１５の各々の可変動弁機構１３が動作許可状態とされ（Ｓ２０５）、吸気バルブ９のバルブタイミング制御が実行される。すなわち、エンジン負荷及びエンジン回転速度に基づき可変動弁機構１３の動作指令値である進角量が算出され、その算出された進角量に基づき各バンク１４，１５の各々の可変動弁機構１３を動作させることにより、各バンク１４，１５における各々の吸気バルブ９のバルブタイミングがそのときのエンジン運転に適した状態となるよう制御される。
【００４２】
上記ステップＳ２０１で肯定判定がなされ、エンジン１の冷却水温が上記所定値Ａよりも高い旨判断された場合には、気筒休止制御が実行されていることを意味する。この場合、気筒休止制御での気筒休止運転が実行されているか否かが判断され（Ｓ２０２）、ここで否定判定であって全気筒運転が実行されている旨判断されると、上記ステップＳ２０５の処理が実行される。また、ステップＳ２０２で肯定判定がなされて気筒休止運転が実行されている旨判断されると、気筒休止運転から全気筒運転への切り換えの可能性がない旨判断されることを条件に（Ｓ２０３：ＹＥＳ）、気筒の稼働が休止されているバンク１５に設けられた可変動弁機構１３を動作禁止状態とする（Ｓ２０４）。より詳しくは、可変動弁機構１３を動作させる駆動力を吸気バルブ９のバルブタイミングが予め定められた状態、例えば最遅角状態に固定される程度の小さい値（ほぼ「０」）とする。
【００４３】
仮に、このときにバンク１５の可変動弁機構１３が動作許可状態とされ、同機構１３をその動作指令値である進角量に基づき動作させることにより、バンク１５の吸気バルブ９のバルブタイミングが所定の状態に向けて制御されているとすると、次のような不具合を招くことになる。すなわち、気筒休止運転時のバンク１５では、吸気バルブ９のリフト（開閉）をリフト停止機構２４により停止させており、吸気バルブ９のバルブタイミングを可変動弁機構１３の上記進角量に基づく動作を通じて変化させようとすることに意味はないにもかかわらず、同バンク１５の可変動弁機構１３が動作されることになる。その結果、バンク１５において、上記可変動弁機構１３を上記進角量に基づき動作させるために、無駄な油圧供給が生じたり無駄な電力消費が生じたりすることになる。
【００４４】
しかし、バンク１５においては、気筒休止運転の実行時に吸気バルブ９の開閉がリフト停止機構２４により停止されると、その吸気バルブ９のバルブタイミングを可変とする可変動弁機構１３が上述したように動作禁止状態とされるため、そのときに同機構１３の上記進角量に基づく動作が無駄に行われることはない。従って、その可変動弁機構１３の動作のために無駄な油圧供給が生じたり無駄な電力消費が生じたりすることを抑制できるようになる。
【００４５】
一方、ステップＳ２０３で否定判定がなされると、言い換えれば気筒休止運転から全気筒運転へ切り換えられる可能性があると予測されると、上記ステップＳ２０５の処理が実行される。この場合、気筒の稼働が休止されているバンク１５においても、可変動弁機構１３が動作許可状態とされ（Ｓ２０５）、吸気バルブ９のバルブタイミング制御が実行される。すなわち、エンジン負荷及びエンジン回転速度に基づき算出される進角量に基づき可変動弁機構１３を動作させることにより、吸気バルブ９のバルブタイミングがそのときのエンジン運転に適した状態となるよう制御される。このように、気筒休止運転中に全気筒運転へと切り換えられると予測されるとき、吸気バルブ９のバルブタイミング制御を実行しておくことで、その後に気筒休止運転から全気筒運転に切り換えられたとき、バンク１５において吸気バルブ９のバルブタイミングが直ちにそのときのエンジン運転での燃料の燃焼に適した状態とすることが可能になる。
【００４６】
ここで、上記ステップＳ２０３の処理について詳しく説明する。
ステップＳ２０３では、以下の［１］及び［２］のいずれかの条件が成立していることに基づき、気筒休止運転から全気筒運転への切り換えの可能性がない旨の判断が行われることとなる。
【００４７】
［１］エンジン運転状態が図５の気筒休止領域ＡＰにおける全気筒領域ＡＡから離れた領域（図中の領域ＡＰ１）にある。
［２］エンジン運転状態が気筒休止領域ＡＰにおける全気筒領域ＡＡにおける全気筒領域ＡＡに近い領域（図中のＡＰ２）にあったとしても、同エンジン運転状態が変化していない状態であるか、あるいは全気筒領域ＡＡから離れる方向（低負荷側、低回転側）に変化中である。
【００４８】
従って、以下の［３］及び［４］の条件が両方とも成立しているときには、ステップＳ２０３で否定判定がなされ、気筒休止運転から全気筒運転に切り換えられると予測される状況ということになる。
【００４９】
［３］エンジン運転状態が図５の気筒休止領域ＡＰにおける全気筒領域ＡＡに近い領域（図中の領域ＡＰ２）にある。
［４］エンジン運転状態が全気筒領域ＡＡに向けて近づく方向（高負荷側、高回転側）に変化中である。
【００５０】
このように上記［３］及び［４］の条件が両方とも成立していることに基づき、気筒休止運転から全気筒運転への切り換えがあるとの予測を行うことで、その予測を的確なものとすることができる。そして、上記予測がなされたときには（Ｓ２０３：ＮＯ）、ステップＳ２０５の処理が実行される。
【００５１】
以上詳述した本実施形態によれば、以下に示す効果が得られるようになる。
（１）気筒休止運転の実行中にバンク１５で吸気バルブ９のリフト（開閉）がリフト停止機構２４により停止されるとき、その吸気バルブ９のバルブタイミングを可変とする可変動弁機構１３が動作禁止状態とされるため、そのときに同機構１３の進角量に基づく動作が無駄に行われることはない。従って、その可変動弁機構１３の上記進角量に基づく動作のために、無駄な油圧供給が生じたり無駄な電力消費が生じたりすることを抑制できるようになる。
【００５２】
（２）気筒休止運転中に全気筒運転への切り換えが予測されると、バンク１５の可変動弁機構１３が動作禁止状態から動作許可状態へと切り換えられ、同機構１３が上記進角量に基づき動作された状態になる。このとき、バンク１５では、可変動弁機構１３の上記進角量に基づく動作を通じて吸気バルブ９がそのときのエンジン運転での燃料の燃焼に適した状態に制御されることになる。従って、その後に気筒休止運転から全気筒運転への切り換えが行われたとき、バンク１５において、吸気バルブ９のバルブタイミングを直ちにそのときのエンジン運転での燃料の燃焼に適した状態とすることができる。その結果、気筒休止運転から全気筒運転への切り換え直後において、上記バンク１５での燃料の燃焼を良好なものとし、エンジン１の運転状態を安定させることができる。
【００５３】
（３）気筒休止運転から全気筒運転への切り換えがあるとの予測に関しては、上記［３］及び［４］の条件が両方とも成立したことに基づいて行われるため、その気筒休止運転から全気筒運転への切り換えがあるとの予測を的確なものとすることができる。
【００５４】
なお、上記実施形態は、例えば以下のように変更することもできる。
・可変動弁機構１３が動作禁止状態にあるとき、吸気バルブ９のバルブタイミングが最遅角状態以外の任意の状態に固定されるようにしてもよい。
【００５５】
・気筒休止運転から全気筒運転への切り換えがあるとの予測に関しては、上記［３］の条件の成立のみをもって行うようにしてもよい。
・気筒休止運転から全気筒運転への切り換えがあるとの予測に関係なく、気筒休止運転中はバンク１５の可変動弁機構１３を常に動作禁止状態としてもよい。
【００５６】
気筒の稼働が休止されるバンクに関しては、バンク１５に固定したが、バンク１４とバンク１５との間で可変としてもよい。この場合、バンク１４にもリフト停止機構２４，２５が設けられ、バンク１４が気筒の稼働を休止させるバンクとされたときには、気筒休止運転中にバンク１４の吸気バルブ９及び排気バルブ１０のリフト（開閉）が上記リフト停止機構２４，２５によって停止されることとなる。
【００５７】
・吸気バルブ９の開閉特性として同バルブ９の最大リフト量及び作動角を可変とする可変動弁機構を備えたエンジンに本発明を適用してもよい。
・排気バルブ１０の開閉特性、例えば同バルブ１０のバルブタイミングを可変とする可変動弁機構を備えたエンジンに本発明を適用してもよい。
【図面の簡単な説明】
【００５８】
【図１】本実施形態の可変動弁機構の適用されるエンジン全体を示す略図。
【図２】同エンジンにおいて気筒休止運転の実行の有無に関係なく常に気筒が稼働されるバンクの構造を示す略図。
【図３】同エンジンにおいて気筒休止運転の実行に伴い気筒の稼働が休止されるバンクの構造を示す略図。
【図４】同エンジンの可変動弁装置の電気的構成を示すブロック図。
【図５】気筒休止制御での全気筒領域と気筒休止領域とを規定したマップ。
【図６】気筒休止制御の実行手順を示すフローチャート。
【図７】可変動弁機構の動作の制御手順を示すフローチャート。
【符号の説明】
【００５９】
１…エンジン、２…燃焼室、３…吸気通路、４…燃料噴射弁、５…点火プラグ、６…ピストン、７…クランクシャフト、８…排気通路、９…吸気バルブ、１０…排気バルブ、１１…吸気カムシャフト、１１ａ…吸気カム、１２…排気カムシャフト、１２ａ…排気カム、１３…可変動弁機構、１４，１５…バンク、１７…アクセルペダル、１８…ローラ、１９…ロッカアーム、２０…ラッシュアジャスタ、２１…ローラ、２２…ロッカアーム、２３…ラッシュアジャスタ、２４，２５…リフト停止機構、２６…電子制御装置（制御手段）、２８…アクセルポジションセンサ、２９…スロットルバルブ、３０…スロットルポジションセンサ、３２…エアフローメータ、３４…クランクポジションセンサ、３５…水温センサ。
【図１】
0004924462.tif 000002
【図２】
0004924462.tif 000003
【図３】
0004924462.tif 000004
【図４】
0004924462.tif 000005
【図５】
0004924462.tif 000006
【図６】
0004924462.tif 000007
【図７】
0004924462.tif 000008